(57)【要約】【課題】配管が簡単であると共に浴槽毎に異なったりせず、更に、浴槽の外壁面を断熱材で覆う場合に配管を避けるために断熱材に形成する切除部が大きくならずにすむジェットバスの空気取込み配管部を提供する。【解決手段】浴槽１の異なる側壁１１ｂ、１１ｃに設けた複数の吐出口３から空気が混入した浴水を吐出させるジェットバスの空気取込み管６であって、異なる側壁１１ｂ、１１ｃ毎に該側壁１１ｂ、１１ｃに設けた吐出口３へ供給する空気取入れ口６０を設けた。【選択図】図１
2007167461.tif 000002
【特許請求の範囲】
【請求項１】
浴槽の異なる側壁に設けた複数の吐出口から空気が混入した浴水を吐出させるジェットバスの空気取込み管であって、異なる側壁毎に該側壁に設けた吐出口へ供給する空気取入れ口を設けて成ることを特徴とするジェットバスの空気取込み管。
【請求項２】
浴槽の異なる側壁に設ける吐出口をそれぞれ対をなすように設け、前記対をなす吐出口を接続する接続管と、接続管の途中に設けられる分岐継手と、分岐継手の分岐部に一端が接続されると共に途中に逆止弁が設けられて且つ他端が開放されて空気取入れ口となる管部とで構成されることを特徴とする請求項１記載のジェットバスの空気取込み管。
【請求項３】
管部をフレキシブル管で形成して成ることを特徴とする請求項２記載のジェットバスの空気取込み管。
【発明の詳細な説明】
【技術分野】
【０００１】
本発明は、浴槽に設けた吐出口から空気が混入した浴水を吐出させるジェットバスの空気取込み管の構造に関するものである。
【背景技術】
【０００２】
従来より、浴槽内の人体に向けて気泡を混入した浴水を噴出するジェットバスが用いられている。
【０００３】
ジェットバスは、図２、図３に示すように、浴槽１の側壁１１に吸入口と吐出口３とを形成すると共に、吸入口と吐出口３とを接続する循環配管４を浴槽１とエプロン（不図示）の間に配設し、循環配管４の途中に浴水を搬送するためのポンプ（不図示）を配設して浴水の経路が形成してある。吸入口は浴槽１内に横たわった人体の横の側壁１１ａに形成してあり、吐出口３は人体の腰部や足部に対応する前後の側壁１１ｂ、１１ｃにそれぞれ設けてあり、腰部や足裏に向けて浴水を噴出するようになっている。
【０００４】
また、浴水に気泡を混入させるための空気取込み配管部６’が設けてある。空気取込み配管部６’は、下流側の端部を循環配管４の吐出口３の近傍に接続すると共に、上流側の端部を浴槽１のフランジ部に形成した空気取入れ口６０に接続してあり、循環配管４を浴水が流れる際に、空気取入れ口６０、空気取込み配管部６を介して浴室内の空気が吸引されて浴水中に混入されるようになっている。
【特許文献１】特開平６−１３４０１７号公報
【発明の開示】
【発明が解決しようとする課題】
【０００５】
この従来のジェットバスにあっては、一つの空気取入れ口６０から取入れた空気を空気取込み配管部６’を介して両吐出口３へ送るものであるが、このため空気取込み配管部６’が長くなってストレート管やエルボ管を多数組み合わせた複雑な構造となって高価となってしまうと共に浴槽１毎に異なる配管となってしまい、更に、浴槽１の外壁面を断熱材で覆う場合に、配管を避けるために断熱材を切除する部分が大きくなって、浴槽１の断熱性が損なわれてしまう、という問題があった。
【０００６】
本発明は上記の従来の問題点に鑑みて発明したものであって、その目的とするところは、配管が簡単であると共に浴槽毎に異なったりせず、更に、浴槽の外壁面を断熱材で覆う場合に配管を避けるために断熱材を切除する部分が大きくならずにすむジェットバスの空気取込み配管部を提供することを課題とするものである。
【課題を解決するための手段】
【０００７】
前記課題を解決するために本発明は、浴槽１の異なる側壁１１ｂ、１１ｃに設けた複数の吐出口３から空気が混入した浴水を吐出させるジェットバスの空気取込み管６であって、異なる側壁１１ｂ、１１ｃ毎に該側壁１１ｂ、１１ｃに設けた吐出口３へ供給する空気取入れ口６０を設けて成ることを特徴とするものである。
【０００８】
このような構成とすることで、配管が簡単であると共に浴槽１毎に異なったりせず、更に、浴槽１の外面を断熱材で覆う場合に配管を避けるために断熱材を切除する部分が大きくならずにすむものである。
【０００９】
また、請求項２に係る発明は、請求項１に係る発明において、浴槽１の異なる側壁１１ｂ、１１ｃに設ける吐出口３をそれぞれ対をなすように設け、前記対をなす吐出口３を接続する接続管６１と、接続管６１の途中に設けられる分岐継手６２と、分岐継手６２の分岐部６２ａに一端が接続されると共に途中に逆止弁６３が設けられて且つ他端が開放されて空気取入れ口６０となる管部６４とで構成されることを特徴とするものである。
【００１０】
このような構成とすることで、一対の吐出口３を設ける場合に簡単な構成で空気取込み管６を構成することができる。
【００１１】
また、請求項３に係る発明は、請求項２に係る発明において、管部６４をフレキシブル管で形成して成ることを特徴とするものである。
【００１２】
このような構成とすることで、断熱材を浴槽１の外面に取り付けた後でも、断熱材を切除したりすることなくフレキシブル管からなる管部６４を曲げて断熱材の外側に沿わせて配置することができ、浴槽１の断熱性を確保することができる。
【発明の効果】
【００１３】
本発明に係るジェットバスの空気取込み管にあっては、配管が簡単であると共に浴槽１毎に異なったりしないため施工コストが削減できると共に、浴槽の外面を断熱材で覆う場合に配管を避けるために断熱材を切除する部分が大きくならずにすんで、断熱材による保温面積を大きくして浴槽の断熱性を確保することができるものである。
【発明を実施するための最良の形態】
【００１４】
以下、本発明の一実施形態について図１に基づいて説明する。
【００１５】
本ジェットバスでは、浴槽１の左右のいずれかの一側壁１１ａに吸入口２を形成し、前後の側壁１１ｂ、１１ｃに一対ずつ吐出口３を形成するものである。ここで、前後左右は浴槽１に人体（不図示）が横たわった状態での方向をいうものとする。後ろの側壁１１ｃに形成した吐出口３は、人体の腰部に左右両方から浴水を噴出するもので、前の側壁１１ｂに形成した吐出口３は、左右の足裏に向けて浴水を噴出するように形成するものである。
【００１６】
吸入口２と吐出口３とには循環配管４が接続されると共に、該循環配管４の途中にポンプ５を配設するもので、これら循環配管４とポンプ５は、浴槽１とエプロン（不図示）の間の空間に配設される。ポンプ５は浴槽１の外面に固定したり床面に設置した架台に載置固定される。
【００１７】
そして、この循環配管４に接続される本発明の空気取込み管６について説明する。
【００１８】
空気取込み管６は、浴槽１の異なる側壁１１毎に該側壁１１に設けた吐出口３へ供給する空気取入れ口６０を形成するもので、本実施形態では、前後の側壁１１ｂ、１１ｃのそれぞれ一対の吐出口３を接続する接続管６１と、接続管の途中に設けられる三方継手である分岐継手６２と、分岐継手６２の三つの分岐部（ポート）のうち前記接続管６１に接続されない分岐部６２ａに一端が接続されると共に途中に逆止弁６３が設けられて且つ他端が開放されて空気取入れ口６０となる管部６４とで構成される。管部６４に逆止弁６３を設けたことで、空気取入れ口６０がフランジ部よりも下方に位置していても、浴水の上面が空気取入れ口６０の上方に上昇した場合でも浴水が空気取入れ口６０から溢れ出ることがないものである。また、管部６４はフレキシブル管で形成してあり、断熱材を浴槽１の外面に取り付けた後で、フレキシブル管からなる管部６４を曲げて断熱材の外側に沿わせてテープで固定してある。
【００１９】
このような構成とすることで、従来のように、一つの空気取入れ口６０から取入れた空気を空気取込み配管部を介して異なる側壁１１ｂ、１１ｃに形成した各吐出口３へ送ろうとすると、異なる側壁１１ｂ、１１ｃにまたがって配管を施すため長くなり、複雑な構造となって高価になると共に浴槽１毎に異なる配管となってしまい、更に、浴槽１の外壁面を断熱材で覆う場合に、配管を避けるために断熱材を切除する部分が大きくなって、浴槽１の断熱性が損なわれてしまう、といったことがなく、配管が簡単であると共に浴槽１毎に異なったりせず、浴槽１の外面を断熱材で覆う場合に配管を避けるために断熱材を切除する部分が大きくならずにすむものである。
【００２０】
また、管部６４をフレキシブル管で形成することで、断熱材を浴槽１の外面に取り付けた後でも、断熱材を切除したりすることなくフレキシブル管からなる管部６４を曲げて断熱材の外側に沿わせて配置することができ、浴槽１の断熱性を確保することができる。
【００２１】
また、空気取込み管６の接続管６１で一対の吐出口３を接続するのではなく、三方継手からなる分岐継手６２のうちの二つの分岐部（ポート）を直接循環配管４の吐出口３の部分に連結し、接続管６１をなくしてもよい。これにより、接続管６１を省くことができて空気取込み管６をより一層簡素にすることができる。
【００２２】
またなお、本発明のように浴槽１の異なる側壁１１ｂ、１１ｃにそれぞれ吐出口３を設ける場合でなくても、上実施形態と同様に、一側壁１１に形成した一対の吐出口３を接続する接続管６１と、接続管の途中に設けられる三方継手である分岐継手６２と、分岐継手の三つの分岐部のうち前記接続管６１に接続されない分岐部６２ａに一端が接続されると共に途中に逆止弁６３が設けられて且つ他端が開放されて空気取入れ口６０となる管部６４とで構成される空気取込み管６を設けることで、従来のように浴槽１のフランジ部に形成した空気取入れ口６０から循環配管４に至る空気取込み配管部を配設する必要がないため、配管が長く複雑な構造となって高価になると共に浴槽１毎に異なる配管となってしまうことがなく、更に、浴槽１の外壁面を断熱材で覆う場合に、配管を避けるために断熱材を切除する部分が大きくなって浴槽１の断熱性が損なわれてしまう、といったこともないものである。
【図面の簡単な説明】
【００２３】
【図１】本発明の一実施形態の斜視図である。
【図２】従来のジェットバスの側面図である。
【図３】従来のジェットバスの平面図である。
【符号の説明】
【００２４】
１      浴槽
１１ａ  側壁
１１ｂ  側壁
１１ｃ  側壁
２      吸入口
３      吐出口
４      循環配管
５      ポンプ
６      空気取込み配管部
６０    空気取入れ口
６１    接続管
６２    分岐継手
６３    逆止弁
６４    管部
【図１】
2007167461.tif 000003
【図２】
2007167461.tif 000004
【図３】
2007167461.tif 000005